(57)【特許請求の範囲】
【請求項１】
操縦席（１）を有したエンジンカバー（２）を上下方向のカバー軸（３）の回りに内外へ回動させて開閉可能に設け、このエンジンカバー（２）の後側に適宜前後間隔のメンテナンススペース（４）を形成してグレンタンク（５）を設置し、このメンテナンススペース（４）の該カバー軸（３）よりも奥側に内外を仕切る仕切板（６）を設けて構成し、該仕切板（６）はグレンタンク（５）前面の上下方向の軸（３２）回りに開閉回動可能に取り付けてグレンタンク（５）と共に一体的に外側方へ展開できる構成とし、前記カバー軸（３）の奥側のメンテナンススペース（４）にはベルト伝動機構（２７）を配置して構成し、コンバインの各部制御を行うコントローラを収容するコントロールボックス（３７）を前記カバー軸（３）の奥側のメンテナンススペース（４）の奥側に配置している脱穀装置（１１）の側壁部に取り付ける構成としたことを特徴とするコンバイン。
【発明の詳細な説明】
【０００１】
【発明の属する技術分野】
この発明は、農業機械であるコンバインに関する。
【０００２】
【発明が解決しようとする課題】
コンバインは、車台の一側前部に操縦席を配置し、この後側にグレンタンクを配置するため、操縦席をこの下側のエンジンカバーと一体として外側方向へ開閉回動する形態では、後側のグレンタンクが回動の邪魔になり易く、又、グレンタンクの構成も煩雑となり易い。
【０００３】
【課題を解決するための手段】
この発明は、操縦席１を有したエンジンカバー２を上下方向のカバー軸３の回りに内外へ回動させて開閉可能に設け、このエンジンカバー２の後側に適宜前後間隔のメンテナンススペース４を形成してグレンタンク５を設置し、このメンテナンススペース４の該カバー軸３よりも奥側に内外を仕切る仕切板６を設けて構成し、該仕切板６はグレンタンク５前面の上下方向の軸３２回りに開閉回動可能に取り付けてグレンタンク５と共に一体的に外側方へ展開できる構成とし、前記カバー軸３の奥側のメンテナンススペース４にはベルト伝動機構２７を配置して構成し、コンバインの各部制御を行うコントローラを収容するコントロールボックス３７を前記カバー軸３の奥側のメンテナンススペース４の奥側に配置している脱穀装置１１の側壁部に取り付ける構成としたことを特徴とするコンバインの構成とする。
【０００４】
【発明の効果】
エンジンカバー２を開くときは、カバー軸３の回りに外側に回動すればよく、このときカバー軸３が後側のグレンタンク５との間のメンテナンススペース４に位置しているために、エンジンカバー２がグレンタンク５や仕切板６等に邪魔され難く、大きく開かれることとなり、エンジンルーム内のメンテナンスを行い易くできる。又、このエンジンカバー２と後側のグレンタンク５との間のメンテナンススペース４には、該カバー軸３よりも奥側に前後を仕切る仕切板６を設けるものであるから、作業時に内側部の伝動機構等が露出せず安全を図ることができると共に、このエンジンカバー２を開くとき、仕切板６を外す等の手数をなくして、構成を簡潔化でき、カバー開閉操作を簡単にできる。
また、仕切板６はグレンタンク５前面の上下方向の軸３２回りに開閉回動可能に取り付けてグレンタンク５と共に一体的に外側方へ展開できる構成としているので、簡素な構成となる。
また、奥側のメンテナンススペース４にベルト伝動機構２７を配置して構成しているので、不用意にベルト伝動機構２７に触ることなく安全である。
また、コンバインの各部制御を行うコントローラを収容するコントロールボックス３７を前記カバー軸３の奥側のメンテナンススペース４の奥側に配置している脱穀装置１１の側壁部に取り付ける構成としているので、グレンタンク５を外側方に展開させるとメンテナンスが容易となる。
【０００５】
【実施例】
コンバインは、クローラ走行装置７を有する車台８の前部に、リフトシリンダの伸縮によって昇降できる刈取装置９を設け、この後部一側には、刈取装置９の穀稈搬送装置１０で刈取搬送される穀稈の供給を受けて脱穀する脱穀装置１１を配置し、又、後部他側には、操縦台１２、操縦席１を有してエンジンＥの上部を開閉するエンジンカバー２、及び該脱穀装置１１で脱穀される穀粒を収容するグレンタンク５等を配置する。
【０００６】
前記エンジンカバー２は、エンジンＥの上側部乃至外側部等を覆うもので、後端外側部に上下方向のカバー軸３を有して、このカバー軸３の回りに内外側方向Ａに回動させて、エンジンＥを有するエンジンルームを開閉できる。このエンジンカバー２の外側面には、エンジンＥのラジエータ１３、及びラジエータファン１４に対向する吸気網１５を有し、上側にはシートフロア１６を有して、このシートフロア１６の上面に操縦席１を一体的に取付支持し、エンジンカバー２と操縦席１とを一体的に開閉回動しうる構成としている。又、ラジエータ１３も該カバー軸３の内側近くに設けた軸１７の回りに開閉回動できる構成としている。
【０００７】
前記エンジンルームの前側は、エンジンカバー２のシートフロア１６前側下側の前カバー部１８で覆われ、この前カバー部１８と前方の操縦台１２との間にステップフロア１９が構成される。又、エンジンルームの穀稈搬送装置１０側には側部フレーム２０が設けられ、後側には後部フレーム２１が設けられる。
グレンタンク５は、エンジンカバー２の後側方において、車台８上に搭載される。この後端部を上下方向のタンク軸２２の回りに外側方へ回動させて展開できる。又、グレンタンク５の底部には前後方向に沿うオーガ２３及び排穀樋を設けて、このオーガ２３の回転によって収容穀粒を後方へ搬送できる。このオーガ２３の後端部は、グレンタンク５の後側に立設されるたてオーガ筒２４に連通でき、更にこのオーガ筒２４の上端には横オーガ筒２５を連通させて、この横オーガ筒２５をたてオーガ筒２４回りに旋回させたり、上下動して、先端の排穀口２６から目的の排穀位置へ排穀できる。
【０００８】
これらオーガ筒２４，２５内のオーガは、グレンタンク５底部のオーガ２３と連動されて、このオーガ２３をグレンタンク５前側のメンテナンススペース４に設けられるベルト伝動機構２７やベルトテンションクラッチ機構２８等を介して伝動される。
前記エンジンルームの後部フレーム２１やエンジンカバー２の後側面と、グレンタンク５の前側面との間には、前記ベルト伝動機構２７等を構成するメンテナンススペース４を設ける。このメンテナンススペース４の外側近くの前側に前記上下方向のカバー軸３が設けられ、このカバー軸３の奥側のメンテナンススペース４には該ベルト伝動機構２７との間を仕切る上下方向の仕切板６を設けて、これらベルト伝動機構２７やクラッチ機構２８等を覆うものである。この仕切板６は、車台８部に取付けるもよく、後部フレーム２１側に取付けるもよく、又、グレンタンク５の前面に上下方向の軸３２回りに開閉回動可能にして取付けて、一体的に外側方へ展開できる構成とするもよい。
【０００９】
前記グレンタンク５は、脱穀装置１１の脱穀穀粒を取出す揚穀機を、上端部にのぞませて穀粒を収容することができる。又、このグレンタンク５と脱穀装置１１との間には、伝動機構が配置されて、このグレンタンク５をタンク軸２２の回りに外側方へ回動展開させることによって、脱穀装置１１との間を広く開放させてメンテナンスを容易にすることができる。
【００１０】
前記エンジンカバー２にはフック２９が設けられていて、側部カバー２０側のステー３０に係合させて閉鎖姿勢を維持できる。３１は該フック２９の係合を外すレバーである。
図５、図６において、上例と異なる点は、前記エンジンカバー２の閉鎖位置を固定するフック２９やステー３０等からなるロック機構３３を、エンジンＥのターボ機構３４の上側部に設けたもので、このロック機構３３のシートフロア１６前方への突出を少くすることができ、シートフロア１６前のステップフロア１９上のスペースを広く構成できる。３５はシートフロア１６に一体のブラケットで、フック２９をレバー３１で回動操作可能に設ける。３６はフック２９をステー３０側に係合するように弾発されるばねである。
【００１１】
図７において、上例と異なる点は、コンバインの各部制御の入出力を行うコントローラを収容するコントロールボックス３７を、前記メンテスペース４の奥側の脱穀装置１１の側壁部に取付けることにより、前記グレンタンク５をタンク軸２２回りに外側方へ展開することにより、このコントロールボックス３７部を広く開放させてメンテナンスを容易化できる。３８は脱穀装置１１の側壁部に固定した取付プレート、３９はこの取付プレート３８に配置のボルト締め等によって取付ける取付座、４０はこの取付座３９に取付ける蝶番で、上下方向のヒンジ回りに開閉回動できる。４１はボルト孔で、このボルト孔４１に挿通したボルト４２を取付座３９に螺合させて取付固定できる。
【００１２】
図８〜図１０において、上例と異なる点は、前記ステップフロア１９の外側下部にサブステップ４３を、取付ブラケット４４と、セットピン４５等で、上下位置調節自在に取付けると共に、このサブステップ４３の前側の取付ステー４８に前記刈取装置９横側のナローガイド４６の後端部４７を取付ける。構成を簡単化し、サブステップ４３と一体的に上下調節して、サブステップ４３への穀稈の絡みつきを少くするものである。
【００１３】
前記取付ブラケット４４は、横側にソケット４９を設け、このソケット４９にサブステップ４３の案内片５０を嵌合させて、この案内片５０に形成の鉤形のピン溝５１とソケット４９のピン孔との間にピン５２を挿通して、サブステップ４３を横側に突出した姿勢Ｂと、上側に回動収納させた姿勢Ｃとに操作できる。ナローガイド４６は、前端のピン孔５３を刈取装置９横側の分草体部に回動自在にピン止めし、上端部４７は内側に湾曲させて前記上下方向の取付ステー４８に回動自在に嵌合させてピン５４で抜け止めする。このナローガイド４６の後端部４７は、サブステップ４３の収納姿勢Ｃ位置よりも外側方に突出している。
【図面の簡単な説明】
【図１】  コンバインの一部の作用を示す平面図。
【図２】  その一部の拡大平面図。
【図３】  その作用を示す平面図。
【図４】  コンバインの側面図。
【図５】  一部別実施例を示すエンジンカバー部の側面図と、その平面図。
【図６】  その正面図と、一部の斜視図。
【図７】  実施例を示すコンバインの平面図と、その一部の分解斜視図。
【図８】  一部別実施例を示す分解斜視図。
【図９】  コンバイン車台部の平面図と、その一部分解斜視図。
【図１０】  その側面図と、正面図。
【符号の説明】
１…操縦席、２…エンジンカバー、３…カバー軸、４…メンテススペース、５…グレンタンク、６…仕切板、１１…脱穀装置、２７…ベルト伝動機構、３２…上下方向の軸、３７…コントロールボックス。
【図１】
0003733680.tif 000002
【図２】
0003733680.tif 000003
【図３】
0003733680.tif 000004
【図４】
0003733680.tif 000005
【図５】
0003733680.tif 000006
【図６】
0003733680.tif 000007
【図７】
0003733680.tif 000008
【図８】
0003733680.tif 000009
【図９】
0003733680.tif 000010
【図１０】
0003733680.tif 000011